(57)【要約】  胸部エクササイズ装置は、2つのアーム（1、2）を有し、角アームは、中央回転軸（X）から外方に延伸する。各アームは、ハンドル（1a、2a）を有し、ユーザは、装置を握り、エクササイズを行うことができる。抵抗手段（30）が提供され、この抵抗手段は、ユーザが所望の難易度レベルを選定できるように調整可能であることが好ましい。
2013502258.tif 000002
【特許請求の範囲】
【請求項１】
2つのアームであって、各アームは、回転軸から外方に延伸する2つのアームと、
前記両アームの近接端部またはその近傍に配置された2つのハンドルと、
を有し、
前記両アームは、接触表面を有し、該接触表面は、使用の際には、ユーザの前腕と整合することを特徴とする胸部エクササイズ装置。
【請求項２】
さらに、前記回転軸に対応した、または前記回転軸に、抵抗手段を有することを特徴とする請求項１に記載の胸部エクササイズ装置。
【請求項３】
前記両アームは、共通の回転軸に接続されることを特徴とする請求項２に記載の胸部エクササイズ装置。
【請求項４】
前記抵抗手段は、ねじりコイルバネであることを特徴とする請求項２または３に記載の胸部エクササイズ装置。
【請求項５】
前記ねじりコイルバネは、シャフトに取り付けられ、該シャフトに対する移動素子と非移動素子の間に取り付けられることを特徴とする請求項４に記載の胸部エクササイズ装置。
【請求項６】
前記非移動素子は、前記両アームの一方に対する相対移動に対して固定され、
前記移動素子は、前記アームの他方と係合し、前記両アームの相互に対する移動に対して、抵抗が負荷されることを特徴とする請求項５に記載の胸部エクササイズ装置。
【請求項７】
前記シャフトに取り付けられた、移動／非移動素子のクラスターを有する、２または３以上のバネが存在することを特徴とする請求項６に記載の胸部エクササイズ装置。
【請求項８】
前記移動素子のノッチとスライド式に係合される係合素子を有するセレクタを有することを特徴とする請求項６または７に記載の胸部エクササイズ装置。
【請求項９】
前記抵抗手段は、スピンドルを有し、該スピンドルには、選択された数のねじりコイルバネが取り付け可能であり、該ねじりコイルバネは、前記両アームの一方と関連する一方の端部、および前記両アームの他方と関連する他の端部を有し、
より多くの数のバネによって、前記両アームの相対的な回転に、より大きな抵抗が提供されることを特徴とする請求項２または３に記載の胸部エクササイズ装置。
【発明の詳細な説明】
【技術分野】
【０００１】
本発明は、エクササイズ装置に関し、特に、ユーザの胸部筋肉を調整し鍛える装置に関する。
【背景技術】
【０００２】
家庭ユーザ用のエクササイズ装置は、良く知られており、多様なものがある。胸部筋肉（胸筋）運動用の従来の装置は、2つのハンドルで構成され、これらのハンドルは、複数の平行なコイルバネ（または弾性素子）によって接続される。バネは、所望の抵抗に応じて、装置に取り付けられ、または装置から取り外される。ハンドルが胸部を横断するように引き離されることにより、エクササイズが実施される。
【発明の概要】
【発明が解決しようとする課題】
【０００３】
そのような装置は、「体力芸」テストとしては一般的に利用され得るが、定期的なエクササイズとしての使用にはあまり適さない。多くの家庭用エクササイズ装置と同様に、ユーザは、装置に直ぐに飽きてしまい、装置を使用しなくなる。また、バネ機構は、胸部にわたって胸部に接するように引き延ばされるので、怪我に結びつく可能性があり、これが定期的な使用の更なる障害となっている。
【０００４】
本発明のエクササイズ装置は、安全に使用でき、単純で効果的な胸部エクササイズを提供することを目的とする。
【課題を解決するための手段】
【０００５】
本発明のある態様では、
2つのアームであって、各アームは、回転軸から外方に延伸する2つのアームと、
前記両アームの近接端部またはその近傍に配置された2つのハンドルと、
を有し、
前記両アームは、接触表面を有し、該接触表面は、使用の際には、ユーザの前腕と整合することを特徴とする胸部エクササイズ装置が提供される。
【０００６】
この方法では、ユーザは、各ハンドルを握り、ユーザの前腕を介して、接触表面に力を加える。装置のアームが折り畳まれることで、反復的なエクササイズが実行される。
【０００７】
回転軸に関連して、または回転軸に、抵抗手段が存在することが好ましい。好適実施例では、各アームは、共通の回転軸に接続され、この回転軸は、抵抗手段を含み、これは調整可能であることが好ましい。
【０００８】
両アームは、別個の回転軸を介して、中央素子から延伸しても良い。また、両ハンドルは、両アーム自身の隣接端部の代わりに、この中央素子に配置されても良く、この場合も、機能的に等価なエクササイズ装置が提供される。
【０００９】
ある形態では、抵抗手段は、スライド式セレクタを有し、このセレクタは、1または2以上の抵抗素子と係合し、各種抵抗の選定が可能となる。ある形態では、抵抗手段は、シャフトに取り付けられた、一連のねじりコイルバネである。
【００１０】
第2の形態では、抵抗手段は、スピンドルを有し、このスピンドルには、選定された数のねじりコイルバネが取り付けられ、より多くのバネによって、回転運動により大きな抵抗が提供される。
【図面の簡単な説明】
【００１１】
【図１ａ】本発明によるエクササイズ装置の概略的な斜視図である。
【図１ｂ】本発明によるエクササイズ装置の概略的な斜視図である。
【図１ｃ】本発明によるエクササイズ装置の概略的な斜視図である。
【図１ｄ】本発明によるエクササイズ装置の概略的な斜視図である。
【図１ｅ】本発明によるエクササイズ装置の概略的な斜視図である。
【図２ａ】図1のエクササイズ装置の概略的な分解図である。
【図２ｂ】図1のエクササイズ装置の概略的な分解図である。
【図３】エクササイズ装置の下側分解斜視図である。
【図４ａ】本発明による抵抗機構の断面図である。
【図４ｂ】本発明による抵抗機構の断面図である。
【図４ｃ】本発明による抵抗機構の断面図である。
【図４ｄ】本発明による抵抗機構の断面図である。
【図５ａ】本発明のエクササイズ装置の使用例を示した図である。
【図５ｂ】本発明のエクササイズ装置の使用例を示した図である。
【図６ａ】本発明による代替抵抗機構を示した図である。
【図６ｂ】本発明による代替抵抗機構を示した図である。
【図７ａ】図6の代替実施例の上面図である。
【図７ｂ】図6の代替実施例の断面図である。
【図８】図1乃至5の実施例とは別の、変更形態を示した図である。
【発明を実施するための形態】
【００１２】
大部分の図において認められるように、エクササイズ装置は、左アーム組立体1と、右アーム組立体2とを有し、これらの各々は、ハンドル手段1ａ、1b、および整合表面1b、2bを有し、係合表面は、運動の際、ユーザ（U）の前腕を支持する。表面1b、2bは、ユーザの快適性を高めるため、圧縮材料のパッドを含んでも良い。
【００１３】
アーム組立体は、エンドキャップ4に固定されたシャフト3に取り付けられ、このシャフトは、複数のねじりコイルバネ22を貫通して延在している。図に示した形態では、以降、可変抵抗手段と称する、4つのねじりバネ22が設けられている。ただし、別の数のバネ22も可能である。
【００１４】
図に示すように、左アーム1は、リッジ5aによって、シャフト3のチャネル5bに対して鍵付きにされ、シャフトに対して周囲を回転できないように固定される。一方、右アーム2は、フランジ6に非鉤開口6aを有し、これは、シャフト3を受け、シャフト3により定められる軸Xの周囲を自由回転可能に取り付けられる。
【００１５】
シャフト3上には、同じチャネル5bを用いて鍵付きディスク7がねじ込まれ、各ねじりバネ22の一方の側に取り付けられる。他方の側には、自由回転ディスク8が配置され、両ディスク7および8は、ねじりバネ22の突出端部9を受ける小開口10を含む。
【００１６】
その結果、複数のバネ22でバネ「クラスター」が構成され、各々のバネは、シャフト3を貫通して、鍵付きディスク7と自由移動ディスク8との間に挟まれる。
【００１７】
図3には、突出スイッチ12および一連の凹部13で構成された選択手段11を示す。セレクタ11は、調整手段のケーシングとして機能する右アーム組立体2の一部に取り付けられたスロット23により、所定の距離だけスライドできる。
【００１８】
シャフト軸Xの方向に移動した際、セレクタ11は、4つのねじりバネ22の一つの配置に対応する4つの位置に固定することができ、従って、アーム1、2に、相対的な回転に対する抵抗が負荷される。表示ナンバー18は、例えば赤色の背景によって、目立つようにして、セレクタ11に提供される。すなわち、切り欠きナンバー18または狭小スロット24を介して、赤色が視認される。
【００１９】
使用の際には、凹部13が自由回転ディスク8と揃えられ、右アーム組立体2によって、ねじりバネ22および自由移動ディスク8は、左アーム組立体1とともに自由に動かすことができる。
【００２０】
一方、図4cおよび4dを参照すると、凹部13が自由回転ディスク8からずれている場合、セレクタ11は、前記ディスクにおいてノッチ25に係合する。従って、自由移動ディスク8は、シャフト3に回転可能に固定された鍵付きディスク7により、ディスク8の他端に取り付けられたバネ22の抵抗に対抗して、回転する。
【００２１】
図4cおよび4dに示した係合状態は、追加のねじりバネに対して繰り返され、これは、セレクタ12がスロット23に沿ってどの程度離れるかに依存する。これにより、一つのバネが係合される位置1から、4つのバネの係合に対応する最大位置4まで、抵抗を累進的に高めることができる。バネ選定「数字1」は、予め負荷されており、これにより、アーム1、2は、180゜まで完全に開かれることが意図される。これは、エクササイズの動きの開始位置である。
【００２２】
図に示すように、右アーム組立体2の下側には、化粧カバープレート14が取り付けられ、のり付けされ、または貼り付けられる。これにより、抵抗機構が保護され、これが視認されないようになる。また、各アームの先端19の形態は、湾曲リップ状となっており、ユーザの前腕との整合性が改善される。
【００２３】
分解図に見られるように、シャフト3上のアーム組立体1、2は、第2のアームのケーシング内で生じる抵抗機構の係合を除き、左または第1のアーム1を、中心軸Xを有するシャフト3に係合させ、右または第2のアーム2を、前記シャフトに略自由移動させることにより、最良の構成が得られる。図に示すように、第1のアーム1の鍵付きフランジ5から離間して、第2のアーム組立体2の自由移動フランジ6が収容され、第2のアーム組立体2は、そこに収容された抵抗機構を有する。
【００２４】
図3から明らかなように、アーム組立体2内のレッジ（ledge）26は、組み立ての際に、回転ディスク8の第1ノッチ27と恒久的に接触し、これにより、常時「位置1」に係合される。
【００２５】
図5aおよび5bを参照すると、図には、エクササイズ装置の使用状態が示されている。ユーザUは、ハンドル1aおよび2aを握り、前腕パッド1b／2bを介して装置に力を加える。装置の各アームは、位置20（図5b）になるまで、90゜回転しても良い。これを快適に行うため、ユーザは、通常、ユニットを90゜のストロークで上方に上昇させ、この際に、両腕は、水平にユーザに対して内向きに移動し、相互に合わされる。同時に、両手は、垂直に上方に移動し、最終位置21に至る。これは、全体として、胸筋を鍛える上方すくい上げの動きである。
【００２６】
また、装置は、既知の方法で、大腿部の運動器具として使用しても良い。すなわち、大腿部の間で締め付けることにより、「はさみ」の動きを再現する。本発明は、大腿部の間の締め付けの際に、装置を固定するハンドル1a、2sが提供されるという、追加の利点を有する。従来の大腿部エクササイズの動きは、しばしば、あまり安定ではない場合があり、そのような装置は、跳ね跳び、部屋中はじき飛ぶことが知られている。
【００２７】
図6および7には、抵抗機構が簡略化された形態を有する、本発明の代替実施例を示す。この場合も、装置は、複数のバネ22を有するが、これらのバネは、スピンドルからの付随的除去が可能となるように配置される。このスピンドルは、第1実施例の回転軸Xを有するシャフト3と等価なものである。各アーム組立体の下側は、狭小凹部28を有し、これは、バネ22の延伸端9を受ける。実際には、選ばれた数のバネ（必要な抵抗に対応する）が、凹部28の場所に押し込められており、スピンドル3は、エンドキャップ4によって、所定の場所にねじ込まれ、適正にロックされる。
【００２８】
この実施例では、アーム組立体の一方における鍵付きフランジ5は、必須ではない。バネは、各アーム1、2の一端に固定され、両者の間に抵抗力が提供されるからである。その他の、装置の動作は同様である。
【００２９】
図8乃至14には、前述の第1実施例の別の改良点を示す。機能部材は、左アーム1、右アーム2、左ハンドル1a、右ハンドル2a、3つのバネサブ組立体30、シャフト3、2つのエンドキャップ4、ねじカバー32を有する2つのねじ31、角穴33aを有する2つのブッシュ33、4つの化粧カバープレート34、および右アーム2の、ブッシュ33を受けるための円形凹部35で構成される。
【００３０】
組立の間、左および右のハンドル1a、2aは、それぞれ、左および右アーム1、2に取り付けられる。左および右アーム1、2の各々は、2つのカバープレート34を有し、これらは、外観を改善するためアームに取り付けられる。左アーム1は、角状に形成されたシャフト3に対して組み立てられ、フランジ5の切り欠き36によって、フランジに取り付けられる。フランジには、角状に形成されたシャフト3が取り付けられる。
【００３１】
右アーム2は、そのフランジ6に円形凹部35を有し、この中には、2つのブッシュ33が、自由回転可能となるように配置される。右アーム2は、角穴33aを介して、ブッシュ33を用いて、角状シャフト3に対して組み立てられる。
【００３２】
左アーム1のシャフト3に対する動きが固定される前は、右アーム3は、円形凹部35により、シャフト3の周りに自由に回転できる。
【００３３】
改良実施例では、3つのバネサブ組立体30は、シャフト3に取り付けられる。ただし、別の実施例では、より少ないまたはより多くのサブ組立体が含まれても良い。
【００３４】
エンドキャップ4は、ネジ31により、シャフト3の両端に固定される。ネジは、各端部においてカバー32で覆われ、カバーは、エンドキャップ4に固定される。
【００３５】
バネ組立体（図11乃至14において最も良く示されている）は、角状受容開口51を有する鍵付きシリンダ37、傾斜表面45およびスプライン46を有する自由シリンダ38、バネ端9を有するねじりバネ22、内部歯47および外部係合突起48を有するセレクタリング39、鍵付きシリンダ回転停止リブ40、自由シリンダ回転停止リブ41、鍵付きシリンダバネアームリブ42、自由シリンダバネアームリブ43、シャフトクリップ44、ならびに矩形状クリアランスチャネル50を有する右アーム2上のV字型ノッチ49、で構成される。
【００３６】
図13には、抵抗素子の概略的な部材を示す。バネ22は、鍵付きシリンダ37に組み付けられ、2つのリブ42の間に保持された第1のバネ端9によって、回転位置が揃えられる。この角度位置（図13）では、第1のバネ端9は、12時の位置からのオフセットが6゜である。自由シリンダ38は、鍵付きシリンダ37に組み付けられ、これは、鍵付きシリンダのシャフトの端部に、クリップ44によって固定される。シリンダシャフトに自由シリンダ38が挿入されると、回転停止リブ40、41が整列し、これにより、シリンダがある方向に回転することが抑制される。次に、第1のバネ端9は、自由シリンダバネアームリム43（図11）上の傾斜表面45と接触する。両シリンダが相互に挿入されると、バネ端9は、傾斜表面と衝突し、自由シリンダ38に回転の力が付与される。回転停止リブ40／41は、反応力を提供し、シリンダの回転が抑制され、さらにバネ端9は、予備負荷の状態において、12時の位置に変形される。
【００３７】
セレクタリング39は、内部歯47を有し、この内部歯は、自由シリンダ38上のスプライン46とかみ合わされる。これは、セレクタリング39が回転して、自由シリンダに固定されることを意味するが、図14に示すように、軸方向には、スプラインに沿って自由に移動することができる。
【００３８】
図10aおよび10bに示すように、右アーム2は、3つのV字型のノッチ49を有し、これらのノッチは、セレクタリング39上の3つのV字型の突起48と係合する（図10b）。この場合、リング39は、自由シリンダ38を、効果的に右アーム2に固定し、このアームが左アーム1に対して回転すると、このアームに、抵抗が負荷される。セレクタリング39が回転軸に沿って軸方向に移動し（二重の矢印で示されている）、セレクタリング39の突起48がノッチ49から自由になると、抵抗が右アーム2から開放される。突起48が右アーム2上の矩形状クリアランスチャネル50を介して回転し、左アームは、いかなる抵抗も受けずに、回転できるようになる。
【００３９】
抵抗が負荷されると、V字型のノッチ49は、突起48と整列し、係合の開放が回避され、ねじりバネ22を用いた正の係合の感触が提供され、セレクタリング39が係合位置から移動すると、抵抗が負荷される。特に、図10aには、抵抗機構30に何も負荷されていない状態が示されており、図10bには、全てのバネが係合され、アーム1、2の相対的な動きに対して、抵抗が負荷された状態が示されている。装置は、示された3つのステージよりも少ないまたは多い調整が可能となるように設計されても良い。
【００４０】
調整リング39が係合位置から移動すると、自由シリンダスプライン46に等間隔で取り付けられた3つのクリップによって、感知できる固定状態が提供され、リングが非係合位置にロックされ、使用の間、リングが誤って移動することが防止される。固定の力は、移動の停止に対しては十分に強いが、リングは、手動で容易に所定の位置に固定または開放される。
【００４１】
本発明では、アーム1、2に対して、2つの平行な回転軸が提供されるように構成され、または相対的な回転移動が可能となるいかなる構成が提供されるように構成されても良い。そのような実施例では、好ましくは、抵抗手段を収容する中央ハウジングが必要となる。また、各アームは、抵抗手段に対して回転可能に取り付けられても良い。ハンドルは、この中央ハウジングから、または前述の実施例のように、各アームから延伸しても良い。
【産業上の利用可能性】
【００４２】
エクササイズ装置は、プラスチックから射出成形することができる。また、エクササイズ装置は、内部抵抗力に耐え得る必要な強度を有するいかなる適当な材料で構成されても良い。
【図１ａ】
2013502258.tif 000003
【図１ｂ】
2013502258.tif 000004
【図１ｃ】
2013502258.tif 000005
【図１ｄ】
2013502258.tif 000006
【図１ｅ】
2013502258.tif 000007
【図２ａ】
2013502258.tif 000008
【図２ｂ】
2013502258.tif 000009
【図３】
2013502258.tif 000010
【図４ａ】
2013502258.tif 000011
【図４ｂ】
2013502258.tif 000012
【図４ｃ】
2013502258.tif 000013
【図４ｄ】
2013502258.tif 000014
【図５ａ】
2013502258.tif 000015
【図５ｂ】
2013502258.tif 000016
【図６ａ】
2013502258.tif 000017
【図６ｂ】
2013502258.tif 000018
【図７ａ】
2013502258.tif 000019
【図７ｂ】
2013502258.tif 000020
【図８ａ】
2013502258.tif 000021
【図９】
2013502258.tif 000022
【図１０ａ】
2013502258.tif 000023
【図１０ｂ】
2013502258.tif 000024
【図１１】
2013502258.tif 000025
【図１２】
2013502258.tif 000026
【図１３】
2013502258.tif 000027
【図１４】
2013502258.tif 000028
【国際調査報告】
2013502258.tif 000029
2013502258.tif 000030